(57)【要約】      （修正有）【課題】多品種な美容液や薬液毎に最適に設定されたイオン導入機能を薬液容器とは別の部位に配置し薬液容器と結合して全体を小形化する。【解決手段】薬液注出口を有する薬液容器１と前記薬液容器の薬液注出口を被覆する着脱可能なキャップ２からなり、前記キャップ２内に、生体の皮膚に通電しながら薬液を塗布する電極を内蔵した塗布手段３と前記皮膚に電流を流すための電流／電圧を出力する出力手段１１を設けたことを特徴とする小形イオン導入器。【選択図】図１
2004237043.tif 000002
【特許請求の範囲】
【請求項１】
薬液注出口を有する薬液容器（１）と前記薬液容器の薬液注出口を被覆する着脱可能なキャップ（２）からなり、前記キャップ（２）内に、生体の皮膚に通電しながら薬液を塗布する電極を内蔵した塗布手段（３）と前記皮膚に電流を流すための電流／電圧を出力する出力手段（１１）を設けたことを特徴とする小形イオン導入器。
【請求項２】
上記塗布手段（３）が皮膚に電流を流すための電極面上に薬液を浸透させ保水する綿などの保水材（１４）を、窓枠形状をした開閉可能なカバー（１０）により露出した状態で固定する構造であり、かつ前記薬液が美容液等を含めた水溶液であることを特徴とする請求項１に記載の小形イオン導入器。
【請求項３】
上記出力手段（１１）が、電気回路と電源からなり、直流もしくは矩形波やパルス状波形、あるいは、交流の電流／電圧を出力するものであり、一方を塗布手段（３）に、他方を金属製もしくは通電可能な処理を施した薬液容器（１）に電気的に接続したことを特徴とする請求項１又は請求項２に記載の小形イオン導入器。
【請求項４】
上記出力手段（１１）が、電気回路と電源からなり、直流もしくは矩形波やパルス状波形、あるいは、交流の電流／電圧を出力するものであり、一方を塗布手段（３）に、他方を金属製もしくは通電可能な処理を施したキャップ（２）に電気的に接続したことを特徴とする請求項１〜３のいずれかの項記載の小形イオン導入器。
【請求項５】
上記キャップ（２）内の電気回路に電流検出回路を設け、皮膚に電流が流れたことをＬＥＤ等で表示、もしくは音で出力することを特徴とする請求項１〜４のいずれかの項記載の小形イオン導入器。
【請求項６】
請求項１に記載の薬液容器（１）の開口部に中栓を有し前記キャップ（２）内に設けた、生体の皮膚に通電しながら薬液を塗布する塗布手段（３）と前記皮膚に電流を流すための電流／電圧を出力する出力手段（１１）を中栓内に設けたことを特徴とする小形イオン導入器。
【発明の詳細な説明】
【０００１】
【発明の属する技術分野】本発明は人体の皮膚に微弱電流を流すことにより美容液や薬液を皮膚内部に浸透させるためのイオン導入器に関するものである。
【０００２】
【従来の技術】皮膚表面に塗布して使用する液状の美容液や薬液は皮膚の内部、特に真層まで薬物が浸透することは少なかった。そこで陽極と陰極からなる二つの電極を皮膚に接触させ、皮膚内部に微弱な電流を流すことにより、いずれか一方の電極に塗布した薬液を皮膚内部に浸透させるイオン導入が用いられている。注射などで薬液を注入するのとは異なり痛みを伴わず薬液を皮膚内部に浸透させることが出来るため美容にも用いられ、携帯型のイオントトフォレーシス装置、たとえば、（特開２００３−１０３４３）などが開示されている。しかしイオン導入を行うには専用の器具を購入する必要があり器具自体も比較的高価なものが多く、使用する薬液もその器具にあったものを使用するのが一般的であった。したがって、例えば美容液や薬液が使用者の肌に合う合わないは器具を購入してみないと分からなかった。
【０００３】
【発明が解決しようとする課題】
イオン導入を行う美容液や薬液には特性がプラスイオンのものとマイナスイオンのもの、および電気的に中性のものが存在するため、使用する薬液に対し最適な電極の極性や電圧／電流波形を設定する必要があった。したがって上述のようにイオン導入器具を購入しその器具にあった専用の美容液を使用することが一般的であった。
【０００４】美容液などの化粧品類は使用者の肌との相性があり、本来店頭などで成分を確認し購入できるのが望ましい。そこで店頭などで販売される化粧品や医薬品である薬液に適したイオン導入機能が容器自体に既に組み込まれていれば、使用者が薬液のイオン特性を知らなくても使用できる。購入した薬液容器にイオン導入機能が組み込まれていれば当然薬液を皮膚に単純に塗布したときと比べ効果を向上させることが可能となる。また薬液がなくなれば同じ種類の新しい薬液だけを購入し交換することも可能になる。
【０００５】イオン導入機能が組み込まれた薬液容器とするには、電流を発生する回路や電源部を薬液容器とともに一体化する方法が考えられる。このような例として（特開平８−２２６６３２８）が開示されている。しかし上述のように使用者自身が薬液の特性を理解し電極の特性を設定しながら使用するには良いが、市販されている化粧品や医薬品などの小型容器にイオン導入機能を組み込むには一体化することによりいくつかの問題点が生じそれを下記に示す。
（１）まず薬液の入った液容器とカバー体からなる器体内に電気回路や電源を組み込んでいるため、薬液の入った容器が凹形状と複雑で、該電気回路や電源を覆うためにカバー体が必要になっている。ほかに手に接触させる側の電極はカバー体の外側に巻きつけられているため、装置の構造として、薬液の入った容器とカバー体と、該カバー体に巻きつける電極の３種類の構造物が必要になっている。さらに電気回路と電極が液容器に装備されているため電極に接続する接続線もカバー体を突き抜ける複雑な構造が必要になっている。低価格で小型のイオン導入機能を供給するためには薬液を入れる容器は出来るだけ簡素なものが必要である。また美容液ではデザイン性も重要となるため薬液を入れる容器に容器以外のものを組み込みたくない。
（２）薬液の処理についてはスポンジのような水溶液を含浸させたものを肌に押し付けることにより容器内の水溶液が少しずつ供給される構造となっている。そのため該スポンジはシール材で容器に固定されるており、虫さされ治療薬など殺菌力のある薬液が含まれているものはよいが、美容液などでは肌からの雑菌がスポンジに転移増殖し逆に肌をいためる要因となる。したがって、薬液を塗布する肌に触れる部分については固定するのではなく、毎回新しいものと交換しながら使用する必要がある。また美容液と同様に素材自体に肌との相性があり、肌荒れの要因にもなるため化粧用に一般的に使用されるコットンパフのようなものを使用出来るのが望ましい。
（３）イオン導入をしないで薬液を使用したいとき、液容器に電極と薬液塗布部が組み込まれているため薬液だけを注出することができない。
【０００６】本発明は上記従来の問題点を解決し、多品種な美容液や薬液毎に最適に設定されたイオン導入機能を薬液容器とは別の部位に配置し薬液容器と結合して全体を小形化することを目的とする。
【０００７】
【課題を解決する手段】上記課題を解決するための手段として、請求項１の発明は薬液注出口を有する薬液容器（１）と前記薬液容器の薬液注出口を被覆する着脱可能なキャップ（２）からなり、前記キャップ（２）内に、生体の皮膚に通電しながら薬液を塗布する電極を内蔵した塗布手段（３）と前記皮膚に電流を流すための電流／電圧を出力する出力手段（１１）を設けたことを特徴とする小形イオン導入器である。
【０００８】又、第二に、上記塗布手段（３）が皮膚に電流を流すための電極面上に薬液を浸透させ保水する綿などの保水材（１４）を、窓枠形状をした開閉可能なカバー（１０）により露出した状態で固定する構造であり、かつ前記薬液が美容液等を含めた水溶液であることを特徴とする請求項１に記載の小形イオン導入器である。
【０００９】又、第三に、上記出力手段（１１）が、電気回路と電源からなり、直流もしくは矩形波やパルス状波形、あるいは、交流の電流／電圧を出力するものであり、一方を塗布手段（３）に、他方を金属製もしくは通電可能な処理を施した薬液容器（１）に電気的に接続したことを特徴とする請求項１又は請求項２に記載の小形イオン導入器である。
【００１０】又、第四に、上記出力手段（１１）が、電気回路と電源からなり、直流もしくは矩形波やパルス状波形、あるいは、交流の電流／電圧を出力するものであり、一方を塗布手段（３）に、他方を金属製もしくは通電可能な処理を施したキャップ（２）に電気的に接続したことを特徴とする請求項１〜３のいずれかの項記載の小形イオン導入器である。
【００１１】又、第五に、上記キャップ（２）内の電気回路に電流検出回路を設け、皮膚に電流が流れたことをＬＥＤ等で表示、もしくは音で出力することを特徴とする請求項１〜４のいずれかの項記載の小形イオン導入器である。
【００１２】又、第六に、請求項１に記載の薬液容器（１）の開口部に中栓を有し前記キャップ（２）内に設けた、生体の皮膚に通電しながら薬液を塗布する塗布手段（３）と前記皮膚に電流を流すための電流／電圧を出力する出力手段（１１）を中栓内に設けたことを特徴とする小形イオン導入器である。
【００１３】
【発明の実施例】以下図面に示す実施例により本発明を詳細に説明する。図１は本発明の全体を表した断面図で、美容液や薬液を入れる薬液容器１、薬液注出口を覆うキャップ２、薬液を通電しながら皮膚に塗布する塗布部３（塗布手段）、電流を出力する電気回路及び電源で構成された出力部１１（出力手段）からなる。出力部１１より出力される電圧／電流波形及び極性はあらかじめ設定された状態で組み込むか、キャップ表面にスイッチ等を設け、設定変更できるようにしても良い。塗布部３はカバー１０と電極１３ａと保水材１４ａからなる。
【００１４】薬液を入れる薬液容器１は金属製もしくは、プラスチック等で形成されたもので薬液注入後開口部を塞ぐ中栓６が挿入されている。中栓６には薬液を注出するための注出路７がある。薬液容器１は電極として機能させるため、材質がプラスチックなどの絶縁材の場合、薬液容器を人の手で握ったときの接触抵抗が１ＫΩ以下になるような面積もしくは全面に導電処理４、例えばニッケル等の金属蒸着を施している。
【００１５】図２は別の方法を示した断面図で、キャプ２を人の手で握れるほどの長さにし、電極として使用するように導電処理４を施している。したがって薬液容器には導電性が不用となり一般的な容器をそのまま使用できる。導電処理の代わりに導電性の繊維などで包むなど、二重構造としても良い。
【００１６】薬液を封止するためゴムなどの弾性材でできた液止め８と出力部１１と該出力部から皮膚に電流を流すための一方の電極と該電極から綿などでできた薬液保水材１４ａを介して人体の皮膚に接触させ、薬液を塗布しながら電流を流す塗布部が、キャップ２に固着されたベース部９内に組み込まれる。
【００１７】出力部１１は陰極と陽極のうち一方を配線１２により塗布部３内のプレート状の電極１３ａに、他方は接触子１５により薬液容器１の導電処理された表面に電気的に接続される。図２の例では接触子１５が導電処理されたキャップに接続される。
【００１８】キャップ２は図３のように窓枠構造をしたカバー１０で薬液保水材１４ａを固定するようにしてある。したがって保水材１４ａはプレート状の電極１３ａの上に露出した状態で固定され、通電しながら肌に薬液を塗布することが可能となっている。該カバー１０は開閉が自由にできるよう蝶番などでキャップ２に接合されている。１４ｂは頭皮に薬液５を塗布し易いように円筒状の保水材とした。１４ｃは指の間など狭い場所に、１４ｄは市販されている正方形のコットンパフを保水材に使用した例である。該保水材の交換に伴い該電極１３ａも例えば１３ｂのような形状のものに交換することにより通電性能を向上させることができる。
【００１９】
【実施例】本発明の実施例を説明する。図３及び図４のようにカバー１０を開き保水材１４ａを電極１３ａの上に敷く。その後カバー１０を閉じ固定し、図５のように薬液容器１をキャップ２から外し、逆さにして薬液を保水材１４ａに注出する。薬液容器１をキャップ２に戻し、図６のように薬液容器を片方の手で持ち、塗布部３の保水材１４ａに含まれた薬液を人体Ａの頬Ｂに移動しながら塗る。このとき保水材１４ａが肌に触れると電流が流れる。この様子を図６により説明する。出力部１１によって発生した電流／電圧出力のうち一つの極性は接続ケーブル１２によりプレート状の電極１３ａに接続され保水材１４ａを介して人体Ａの頬Ｂに接続される。保水材は導電性の薬液を吸水しているため通導可能となっている。人体も電気的な等価回路で表すと抵抗とコンデンサからなっており電流が流れる。
【００２０】手で握られる薬液容器１は導電性があり、容器表面に接触させた接触子１５からベース部９を通り電圧／電流出力部のもう一方の極性に電気的に接続されている。したがって出力部より出力される電圧／電流は人体の顔から手までのインピーダンスを介した閉回路により電流ＩＯＵＴが流れ、それに伴い頬に塗られた薬液成分も皮膚内部に取り込まれる。
【００２１】図７と図８及び図９は本発明の応用例で図７及び図９では薬液容器１内の薬液５を封止するのではなく薬液導入管１６により液量を制限しながら自動的に保水材１４に浸透させるもので、上述の図５で示した薬液を保水材へ注出する作業が不要になる。図８はキャップ２を薬液容器１の底部に嵌めるようにしたもの。図９は請求項５の例で図１おけるキャップに組み込まれた電圧／電流の出力部１１と薬液塗布部３の組み込み場所を変更し、薬液容器１の中栓内としたもので、キャップの構造を簡素にすることができる。。
【００２２】
【発明の効果】以上述べたように、請求項１の発明によれば、キャップ内にイオン導入機能が組み込まれ、構造が簡素になり小形化が可能になった。また薬液容器の形状制限がなくなり自由なデザインが可能になり、さらに薬液容器ごと新しいものに交換することが可能になった。
【００２３】請求項２の発明によれば皮膚に薬液を塗布する保水材を簡単に交換することができ常に清潔な状態で施術が可能になった。また皮膚の各部位に対して適切な形状の電極および保水材を交換して使用できるため応用範囲が広がった。
【００２４】請求項３の発明により薬液容器の表面を電極として使用するため構造が簡素になった。
【００２５】請求項４の発明によりキャップを電極として使用するため構造が簡素になった。そのため薬液容器は導電性が不要となり形状と材質の制限がなくなった。
【００２６】請求項５の発明によって皮膚に電流が流れている事を容易に確認出来るようになった。
【００２７】請求項６の発明の、イオン導入機能を中栓に設けることによってキャップの構造が簡素で小型化が可能になった。また薬液を入れる容器の形状に制約を与えないためデザインが自由になった。ほかに薬液の塗布部への自動注出も可能になった。
【図面の簡単な説明】
【図１】本発明の実施例を示す断面図である。
【図２】他の実施例を示す断面図である。
【図３】薬液塗布部を示す斜視図である。
【図４】カバー開放状態の薬液塗布部を示す断面図である。
【図５】薬液注出時の断面図である。
【図６】動作説明図である。
【図７】薬液自動供給を示す断面図である。
【図８】別の応用例を示す断面図である。
【図９】別の応用例を示す断面図である。
【符号の説明】
１…………薬液容器
２…………キャップ
３…………薬液塗布部（塗布手段）
４…………導電処理部
６…………中栓
７…………薬液注出管
１０………保水材固定用カバー
１１………出力部（出力手段）
１３ａ，１３ｂ………電極
１４ａ〜１４ｄ………保水材
１６………薬液導入管
【図１】
2004237043.tif 000003
【図２】
2004237043.tif 000004
【図３】
2004237043.tif 000005
【図４】
2004237043.tif 000006
【図５】
2004237043.tif 000007
【図６】
2004237043.tif 000008
【図７】
2004237043.tif 000009
【図８】
2004237043.tif 000010
【図９】
2004237043.tif 000011